(57)【要約】      （修正有）【課題】着火した墓参用線香を安定した状態で安全に完全燃焼させ、残灰の除去及び線香受け部等の洗浄を容易にする。【解決手段】線香受け部は、扁平な金属線とグラスウールを重ね合わせて筒状又は袋状した２重構造とし、外側に用いる不均一にカールした扁平な金属線は、着火した線香の直接の受け部となり、内側に用いるグラスウールは完全燃焼した線香の灰の受け皿となることから線香受け部と受け皿の洗浄が同時にできるようになった。また、着火した線香を直接置く線香受け部に連続して不均一にカールした扁平な金属線を用いることによって表面に凹凸ができるため、着火した線香が左右及び前後にずれる心配が無く、線香受け部が平面であっても安定性が保たれた。しかも着火した線香の横置き、縦置きが自由に選択できるようになった。【選択図】図１
2009189761.tif 000002
【特許請求の範囲】
【請求項１】
墓参用線香受け部に連続して不均一にカールした扁平な金属線とグラスウールを重ね合わせて筒状又は袋状にしたものを用いることを特徴とした線香受け部及び支持部。
【請求項２】
洗浄を容易にするため、線香受け部が支持部に着脱できることを特徴とした請求項１記載の線香受け部及び支持部。
【発明の詳細な説明】
【技術分野】
【０００１】  本発明は、墓参用線香受け部及び支持部の形状及び機能に関する製造方法。
【背景技術】
【０００２】  墓参用線香の受け皿等については、受け皿に金属製の網を使用して線香を完全燃焼させるものや、着火した線香を受け皿に固定したり受け皿の中央に集束させることによって飛散を防止し、安全性を向上させたもの等、様々な形状や機能が考案されている。【０００３】  角形の線香台に箱形の金属製の網受けを取り付け、線香が安全に完全燃焼できる線香台であるとしている。（特許文献１を参照）
【特許文献１】特開２００１−１７３０６公報
【０００４】  不燃性繊維を用いた不織布状シートの構造体からなる線香等の敷物で、敷物の表面に不燃性繊維糸で刺繍を施し、凹凸を形成することによって線香等を完全燃焼させるとともに、当該敷物が緩衝材となって線香等の香材を運搬時の衝撃から守る線香等の敷物であるとしている。（特許文献２を参照）
【特許文献２】特開２００２−３５５１６４公報
【０００５】  金属製の方形網材の中心線部分を下方向に湾曲させることによってＵ字型形成し、若しくは下方向に折り曲げることによってＶ字型を形成した内受け皿と、当該内受け皿を収納する外受け皿から成り、内受け皿に横置きした線香を中心線部分に集束する線香受け皿であるとしている。（特許文献３を参照）
【特許文献３】特開２００５−１７７３１２公報
【０００６】  角形の灰皿とその上部に、線香置き網を乗せるための支持台そして線香置き網からなる線香台であるが、風等によって燃焼中の線香及び灰が散乱するのを防止するため線香の受け皿等の周囲を石材で覆い安全性を高めた香炉である。（特許文献４を参照）
【特許文献４】特開平１０−９６３３９公報
【発明の開示】
【発明が解決しようとする課題】
【０００７】  しかしながら、いづれの線香受け部の形状においても完全燃焼はするものの、金網を用いた線香受け部や角形の受け皿等は洗浄し難い形状となっていた。
また、特許文献２の線香等の敷物については、平板であるため線香が飛散し易く、雨水等を吸収し易いため乾燥した状態でなければ不完全燃焼する欠点があった。【０００８】  次に、特許文献３については、方形の網材の内受け皿をＵ字型又はＶ字型に形成し、着火した線香が内受け皿の中心線部分に集束する構造とした線香受けであるが、複数人が着火した線香を同時に供えた場合には過剰燃焼し危険であるとともに、高熱となって線香受け台等の容器を変形させてしまう欠点があった。また、供える時間に差が生じた場合には、途中まで燃焼している線香が、後から備えた線香が集束することによって消火し、不完全燃焼をする欠点があった。【０００９】  さらに、特許文献４の安全香炉については、線香の灰の処理がし易いように灰皿が横から引き出す構造となっているが金網の線香受け部、角形の灰皿からなる構造であるため洗浄し難い欠点があった。
【課題を解決するための手段】
【００１０】  したがって、本発明は、線香に点火してから最後まで完全燃焼し、且つ灰の飛散を防止するとともに灰の後始末のための清掃が容易にできる墓参用線香受け部と台座の形状及び機能に関する製造方法を提供することによって上記課題を解決するものである。
【発明の効果】
【００１１】  本発明による連続して不均一にカールした扁平な金属線とグラスウールを重ね合わせ筒状又は袋状にしたものを線香の受け部に使用することによって、燃焼に必要な酸素の供給が多方向から可能となり、着火した線香をどのような状態で供えても熱が奪われて消えてしまうことなく最後まで完全燃焼することができた。【００１２】  しかも線香受けの支持部を設けることで墓石の香炉台と線香受け部に空間ができるため、雨水によって線香が立ち消えすることもなく、立ち消え等の不完全燃焼の際に付着するヤニで受け皿等が汚れることもなくなった。そして線香受け部と支持部が簡単に分離できるため線香受け部の洗浄が容易になった。【００１３】  さらに、本発明の線香受け部は、扁平な金属線とグラスウールの２重構造となっており、不均一にカールした扁平な金属線は、着火した線香の直接の受け部となり、グラスウールは完全燃焼した線香の灰の受け皿となることから、線香受け部と受け皿の洗浄が同時にできるようになった。【００１４】  また、着火した線香を直接置く線香受け部にカールした扁平な金属線を用いることによって表面に凹凸ができるため、着火した線香が左右及び前後にずれる心配が無く、線香受け部の表面が平面であっても安全性が保たれた。しかも着火した線香の横置き、縦置きが自由に選択できるようになった。【００１５】  そして、不均一にカールした扁平な金属線は、洗浄の後の水切れもよいため、洗浄した直後でも着火した線香を供えることができ洗浄時の水分によって立ち消えする心配がなくなった。
【発明を実施するための最良の形態】
【００１６】  請求項１の発明では、多方向から燃焼に必要な酸素が供給され、完全燃焼できるよう連続して不均一にカールした扁平な金属線を表層部に用い、そして内層部にはグラスウールを用いて重ね合わせ筒状又は袋状にして線香受け部を形成する。【００１７】  また、線香受け部を差し込む支持部は、金属性の棒状のものからなり図２に示すとおり、墓石の香炉台に接する支持部の底面部となる台座をコの字型に形成し、支持部の台座の側面部から屈曲しながら上方に立ち上がり、左右それぞれ１回巻き込んで前方に突き出し、左右の先端部を底面部と水平になるよう９０度内側に折り込んで連結し、線香受け部の取り付け部分を支持部の上部の前方に形成する。【００１８】  請求項２の発明では、金属性の棒状のものからなる支持部の上部の前方に形成した取り付け部分に、筒状又は袋状にした線香受け部の開口部を押し込んで使用するが、洗浄時には取り外すことができる着脱式とした。
【図面の簡単な説明】
【００１９】
【図１】本発明の実施形態における、袋状にした線香受け部を支持部に取り付けた状態を示す斜視図である。
【図２】本発明の実施形態における、支持部の斜視図である。
【図３】本発明の実施形態における、袋状にした線香受け部の構造を示した立体図である。
【符号の説明】
【００２０】  ａ  線香受け部に用いる内層部となる袋状にしたグラスウール
ｂ  袋状にしたグラスウールの外層部となるカールした扁平な金属線
【図１】
2009189761.tif 000003
【図２】
2009189761.tif 000004
【図３】
2009189761.tif 000005